(57)【要約】【課題】二次電池の充電率と電圧のいずれもが運用範囲を超えないように、二次電池の充放電を制御する。【解決手段】指標決定部１４３は、セル電池１１１−１〜１１１−Ｍの充電率及び電圧に基づいて、組電池１１０−１〜１１０−Ｎそれぞれの充放電電力を決定するための指標として、充電率を用いるか電圧を用いるかを決定する。充放電電力決定部１４４は、指標決定部１４３が決定した指標に基づいて、組電池１１０−１〜１１０−Ｎの充放電電力の合計が、平滑化電力算出部１３０が算出した電力と等しくなるように、組電池１１０−１〜１１０−Ｎそれぞれの充放電電力を決定する。【選択図】図１
2014121143.tif 000002
【特許請求の範囲】
【請求項１】
負荷または電源に接続された複数の二次電池の充放電を制御する充放電制御装置であって、
前記負荷が要求する電力または前記電源が供給する電力の入力を受け付ける入力部と、
前記複数の二次電池それぞれの充電率または電圧を指標として、前記複数の二次電池の充放電電力の合計が、前記入力部が入力を受け付けた電力と等しくなるように、前記複数の二次電池それぞれの充放電電力を決定する充放電電力決定部と、
前記複数の二次電池の充電率及び電圧に基づいて、前記充放電電力決定部が前記指標として充電率を用いるか電圧を用いるかを決定する指標決定部と
を備えることを特徴とする充放電制御装置。
【請求項２】
前記指標決定部は、前記複数の二次電池の充電率、電圧及び温度に基づいて、前記充放電電力決定部が前記指標として充電率を用いるか電圧を用いるかを決定する
ことを特徴とする請求項１に記載の充放電制御装置。
【請求項３】
前記複数の二次電池のうち、運用範囲の上限値または下限値に最も近い二次電池を特定する比較電池特定部を備え、
前記指標決定部は、前記比較電池特定部が特定した二次電池の充電率及び前記比較電池特定部が特定した二次電池の電圧に基づいて、前記充放電電力決定部が前記指標として充電率を用いるか電圧を用いるかを決定する
ことを特徴とする請求項１または請求項２に記載の充放電制御装置。
【請求項４】
前記指標決定部は、充電率に対して単調増加する閾値電圧を用いて、前記比較電池特定部が特定した二次電池の充電率が運用範囲の中央値未満である場合において前記比較電池特定部が特定した二次電池の電圧が前記閾値電圧以上であるときに、前記指標を充電率に決定し、前記比較電池特定部が特定した二次電池の電圧が前記閾値電圧未満であるときに前記指標を電圧に決定し、前記比較電池特定部が特定した二次電池の充電率が運用範囲の中央値以上である場合において、前記比較電池特定部が特定した二次電池の電圧が前記閾値電圧以上であるときに前記指標を電圧に決定し、前記比較電池特定部が特定した二次電池の電圧が前記閾値電圧未満であるときに前記指標を充電率に決定する
ことを特徴とする請求項３に記載の充放電制御装置。
【請求項５】
前記充放電電力決定部は、前記二次電池ごとに、当該二次電池の充電率または電圧を指標として、当該二次電池を充放電させる電力の補正値であるバランス電力を算出し、前記入力部が入力を受け付けた電力を前記二次電池の数で除算して得られる電力に前記二次電池ごとの前記バランス電力を加算した電力を、前記二次電池それぞれの充放電電力に決定する
ことを特徴とする請求項１から請求項４の何れか１項に記載の充放電制御装置。
【請求項６】
前記充放電電力決定部は、前記複数の二次電池のバランス電力の合計がゼロとなるように、前記複数の二次電池それぞれの前記バランス電力を算出する
ことを特徴とする請求項５に記載の充放電制御装置。
【請求項７】
負荷または電源に接続された複数の二次電池の充放電制御方法であって、
前記複数の二次電池の充電率及び電圧に基づいて、前記複数の二次電池それぞれの充放電電力を決定するための指標として、充電率を用いるか電圧を用いるかを決定するステップと、
前記決定した指標に基づいて、前記複数の二次電池の充放電電力の合計が、前記負荷が要求する電力または前記電源が供給する電力と等しくなるように、前記複数の二次電池それぞれの充放電電力を決定するステップと
を有することを特徴とする充放電制御方法。
【発明の詳細な説明】
【技術分野】
【０００１】
本発明は、負荷または電源に接続された複数の二次電池の充放電を制御する充放電制御装置及び充放電制御方法に関する。
【背景技術】
【０００２】
再生可能エネルギーを使った発電は、天候等の影響を受けて出力が大きく変動するため、発電電力をそのまま電力系統へ投入した場合、電力系統の電力品質の低下が懸念されている。そこで、再生可能エネルギーを使った発電電力を、リチウムイオン電池などの二次電池を用いて平滑化する技術が研究されている。
【０００３】
再生可能エネルギーによる発電電力の出力平滑化装置としては、一般的に、インバータやチョッパなどの電力変換器を介して二次電池を直列並列に接続した組電池を発電装置に対して並列に接続したものが用いられる。
【０００４】
二次電池は、自動車用や定置用など種類によって特性が異なり、また同種のものであっても材料やメーカが異なる場合に、特性が異なることがある。さらに、二次電池を再利用する場合、使用状態、使用環境、使用期間などにより、二次電池ごとに個体差が生じることがある。
【０００５】
組電池の充電率が運用範囲を超えると、当該組電池の劣化を防ぐためにインバータを停止する必要がある。インバータが停止すると、当該インバータに接続された組電池に対する充放電ができなくなるため、複数の組電池において充放電可能な総電力が低下することとなる。そのため、複数の組電池間の充電率のばらつきが大きいほど、充放電可能な総電力が低下する可能性が高くなる。
【０００６】
また、組電池を構成する何れかのセル電池の充電率が運用範囲を超えると、当該セル電池の劣化を防ぐために組電池の運用を停止する必要がある。そのため、セル電池の平均充電率が同じ組電池であっても、セル電池の充電率のばらつきが大きいほど、運用停止に至る可能性が高くなる。
【０００７】
特許文献１には、態様の異なる二次電池を組み合わせた出力平滑化装置の技術が開示されている。具体的には、特許文献１には、組電池の充電率が均一になるように充放電制御を行い、また組電池内のセル電池についてセルバランス制御を行い、組電池の電圧または充電率を均一にする技術が開示されている。これにより、出力平滑化装置の可用性を高めることができる。
【先行技術文献】
【特許文献】
【０００８】
【特許文献１】特開２０１２−３９８２１号公報
【発明の概要】
【発明が解決しようとする課題】
【０００９】
また、特許文献１に記載の技術では、組電池の充電率の中心値が均一になるように制御を行っている。他方、二次電池は、その態様ごとに電圧の運用範囲が異なることがある。そのため、組電池の充電率が均一になるように制御したとしても、組電池の電圧が運用範囲を超えて運用停止に至るおそれがある。
また、一般的に、二次電池の充放電により生じる電圧降下や二次電池の劣化による満充電容量の減少などの影響により、充電率の推定には誤差が生じることがある。そのため、特許文献１に記載の技術を用いた場合、当該誤差の影響により適切に充放電の制御ができないおそれがある。
本発明の目的は、上述した課題を解決する充放電制御装置及び充放電制御方法を提供することにある。
【課題を解決するための手段】
【００１０】
本発明は上記の課題を解決するためになされたものであり、負荷または電源に接続された複数の二次電池の充放電を制御する充放電制御装置であって、前記負荷が要求する電力または前記電源が供給する電力の入力を受け付ける入力部と、前記複数の二次電池それぞれの充電率または電圧を指標として、前記複数の二次電池の充放電電力の合計が、前記入力部が入力を受け付けた電力と等しくなるように、前記複数の二次電池それぞれの充放電電力を決定する充放電電力決定部と、前記複数の二次電池の充電率及び電圧に基づいて、前記充放電電力決定部が前記指標として充電率を用いるか電圧を用いるかを決定する指標決定部とを備えることを特徴とする。
【００１１】
また、本発明において前記指標決定部は、前記複数の二次電池の充電率、電圧及び温度に基づいて、前記充放電電力決定部が前記指標として充電率を用いるか電圧を用いるかを決定することを特徴とする。
【００１２】
また、本発明は、前記複数の二次電池のうち、運用範囲の上限値または下限値に最も近い二次電池を特定する比較電池特定部を備え、前記指標決定部は、前記比較電池特定部が特定した二次電池の充電率及び前記比較電池特定部が特定した二次電池の電圧に基づいて、前記充放電電力決定部が前記指標として充電率を用いるか電圧を用いるかを決定することを特徴とする。
【００１３】
また、本発明において前記指標決定部は、充電率に対して単調増加する閾値電圧を用いて、前記比較電池特定部が特定した二次電池の充電率が運用範囲の中央値未満である場合において前記比較電池特定部が特定した二次電池の電圧が前記閾値電圧以上であるときに、前記指標を充電率に決定し、前記比較電池特定部が特定した二次電池の電圧が前記閾値電圧未満であるときに前記指標を電圧に決定し、前記比較充電率が運用範囲の中央値以上である場合において、前記比較電池特定部が特定した二次電池の電圧が前記閾値電圧以上であるときに前記指標を電圧に決定し、前記比較電池特定部が特定した二次電池の電圧が前記閾値電圧未満であるときに前記指標を充電率に決定することを特徴とする。
【００１４】
また、本発明において前記充放電電力決定部は、前記二次電池ごとに、当該二次電池の充電率または電圧を指標として、当該二次電池を充放電させる電力の補正値であるバランス電力を算出し、前記入力部が入力を受け付けた電力を前記二次電池の数で除算して得られる電力に前記二次電池ごとの前記バランス電力を加算した電力を、前記二次電池それぞれの充放電電力に決定することを特徴とする。
【００１５】
また、本発明において前記充放電電力決定部は、前記複数の二次電池の補正電力の合計がゼロとなるように、前記複数の二次電池それぞれの前記補正電力を算出することを特徴とする。
【００１６】
また、本発明は、負荷または電源に接続された複数の二次電池の充放電制御方法であって、前記複数の二次電池の充電率及び電圧に基づいて、前記複数の二次電池それぞれの充放電電力を決定するための指標として、充電率を用いるか電圧を用いるかを決定するステップと、前記決定した指標に基づいて、前記複数の二次電池の充放電電力の合計が、前記負荷が要求する電力または前記電源が供給する電力と等しくなるように、前記複数の二次電池それぞれの充放電電力を決定するステップとを有することを特徴とする。
【発明の効果】
【００１７】
本発明によれば、充放電制御装置は、複数の二次電池の充電率及び電圧に基づいて指標を充電率または電圧に決定し、当該指標に基づいて、複数の二次電池それぞれの充放電電力を決定する。これにより、充放電制御装置は、複数の二次電池を接続した回路全体の可用性を高めることができる。
【図面の簡単な説明】
【００１８】
【図１】本発明の一実施形態による充放電制御装置を備える出力平滑化装置の構成を示す概略ブロック図である。
【図２】指標決定部が指標を決定するために用いる関数の例を示す図である。
【図３】本発明の一実施形態による出力平滑化装置の動作を示すフローチャートである。
【図４】充放電電力決定部による充放電電力の決定方法を示すブロック線図である。
【発明を実施するための形態】
【００１９】
以下、図面を参照しながら本発明の実施形態について詳しく説明する。
図１は、本発明の一実施形態による充放電制御装置１４０を備える出力平滑化装置１００の構成を示す概略ブロック図である。
出力平滑化装置１００は、再生可能エネルギーによる発電を行う発電装置２００（電源）の発電電力を平滑化して電力系統（負荷）に供給する装置である。
【００２０】
出力平滑化装置１００は、複数の組電池１１０−１〜１１０−Ｎ及び電力変換器１２０−１〜１２０−Ｎ、平滑化電力算出部１３０、充放電制御装置１４０を備える。以降、組電池１１０−１〜１１０−Ｎを総称するときは、組電池１１０という。また、電力変換器１２０−１〜１２０−Ｎを総称するときは、電力変換器１２０という。
【００２１】
組電池１１０は、リチウムイオン電池などの二次電池である複数のセル電池１１１−１〜１１１−Ｍを直列に接続したものである。以降、セル電池１１１−１〜１１１−Ｍを総称するときは、セル電池１１１という。また、組電池１１０は、自身の状態を管理するＢＭＳ１１２（Ｂａｔｔｅｒｙ  Ｍａｎａｇｅｍｅｎｔ  Ｓｙｓｔｅｍ）を備える。ＢＭＳ１１２は、各セル電池１１１の温度及び電圧を計測し、また充電率を推定する。なお、充電率の推定方法としては、各セル電池１１１の電圧から開放電圧を推定し、予め求められた開放電圧と充電率との関係に基づいて開放電圧を推定する方法や、各セル電圧の電流値を積算したものを満充電容量で除算することで推定する方法などが挙げられる。またＢＭＳ１１２は、何れかのセル電池１１１の電圧または充電率（指標）が運用範囲の上限または下限に達した場合に、セル電池１１１の劣化を防止するため、自身に接続された電力変換器１２０の動作を停止させる。
【００２２】
電力変換器１２０は、組電池１１０に接続され、組電池１１０が出力する電力を交流電力に変換して電力系統に出力する。
【００２３】
平滑化電力算出部１３０は、発電装置２００の現在及び過去の発電電力に基づいて、発電電力の平滑化のために組電池１１０に充放電すべき平滑化電力を算出する。平滑化電力の算出方法としては、例えば過去の所定期間の間における発電電力の平均値から、現在の発電電力を減算したものを平滑化電力として算出する方法が挙げられる。
【００２４】
充放電制御装置１４０は、平滑化電力算出部１３０が算出した平滑化電力に基づいて、組電池１１０の充放電を制御する。充放電制御装置１４０は、入力部１４１、比較電池特定部１４２、指標決定部１４３、充放電電力決定部１４４を備える。
【００２５】
入力部１４１は、平滑化電力算出部１３０から、発電装置２００の発電電力の平滑化のために組電池１１０に充放電すべき平滑化電力の入力を受け付ける。つまり、入力部１４１は、発電装置２００の発電電力が過去の発電電力と比較して多い場合、発電装置２００から組電池１１０に供給される電力の入力を受け付ける。他方、入力部１４１は、発電装置２００の発電電力が過去の発電電力と比較して少ない場合、電力系統への供給が要求される電力の入力を受け付ける。
【００２６】
比較電池特定部１４２は、複数の組電池１１０から、当該組電池１１０を構成するセル電池１１１それぞれの充電率及び電圧を取得する。また、比較電池特定部１４２は、各セル電池１１１の充電率及び電圧の運用範囲の上限値及び下限値に基づいて、最も運用範囲の上限値及び下限値に近いセル電池１１１を特定し、その充電率、電圧及び温度を取得する。
【００２７】
指標決定部１４３は、比較電池特定部１４２が取得した充電率、電圧及び温度に基づいて、充放電電力決定部１４４が複数の組電池１１０の充放電電力を決定するための指標を決定する。なお、充放電電力決定部１４４が用いる指標は、充電率か電圧かの何れか一方である。
【００２８】
図２は、指標決定部１４３が指標を決定するために用いる関数の例を示す図である。
指標決定部１４３は、図２に示す関数に基づいて指標を決定する。指標を決定するために用いる関数は、運用範囲によって正規化された充電率及び電圧の関係を示す凹関数である。当該関数において電圧は充電率に対して単調増加する。また、当該関数はセル電池１１１の温度ごとに設けられており、図２（１）、（２）に示すとおり、セル電池１１１の温度が高いほど関数の曲率が高くなる。
【００２９】
ここで、当該関数を用いた指標の決定方法を説明する。
指標決定部１４３は、まず比較電池特定部１４２が取得した温度に基づいて、指標の決定に用いる関数を決定する。次に、指標決定部１４３は、決定した関数において、比較電池特定部１４２が取得した充電率に対応する電圧を、指標の決定に用いる閾値電圧として特定する。そして、指標決定部１４３は、当該閾値電圧と比較電池特定部１４２が取得した電圧とを比較し、その比較結果に基づいて指標を決定する。
【００３０】
充放電電力決定部１４４は、指標決定部１４３が決定した指標である充電率または電圧に基づいて、各組電池１１０に充放電する電力を算出し、当該電力で組電池１１０を充放電させる命令を、各電力変換器１２０に出力する。
【００３１】
次に、本実施形態による出力平滑化装置１００の動作について説明する。
図３は、本発明の一実施形態による出力平滑化装置１００の動作を示すフローチャートである。
まず、平滑化電力算出部１３０は、過去の所定期間の間における発電電力の平均値から、現在の発電電力を減算して得られる電力を平滑化電力として算出し、当該平滑化電力を充放電制御装置１４０に出力する（ステップＳ１）。なお、入力部１４１に入力される平滑化電力は、正負の値をとり、平滑化電力が正数である場合は、出力平滑化装置１００が電力系統に電力を供給し、平滑化電力が負数である場合は、出力平滑化装置１００が発電装置２００から電力の供給を受ける。
【００３２】
入力部１４１が平滑化電力の入力を受け付けると、比較電池特定部１４２は、複数の組電池１１０から、各セル電池１１１の電圧及び充電率、並びに当該電圧及び充電率の運用範囲を取得する（ステップＳ２）。次に、比較電池特定部１４２は、各セル電池１１１の電圧、充電率及び温度を、当該セル電池１１１の運用範囲で正規化する（ステップＳ３）。
【００３３】
ここで、セル電池１１１の電圧の正規化方法について説明する。まず、比較電池特定部１４２は、セル電池１１１の電圧から当該電圧の運用範囲の下限値を減算する。次に、比較電池特定部１４２は、減算して得られた電圧を、運用範囲の上限値と下限値の差で除算する。これにより、比較電池特定部１４２は、セル電池１１１の電圧を０以上１以下の値に正規化することができる。充電率の正規化も、これと同様に行う。
【００３４】
次に、比較電池特定部１４２は、正規化した各セル電池１１１の電圧及び充電率に基づいて、最も運用範囲の上限値または下限値に近いセル電池１１１を特定する（ステップＳ４）。ここで、最も運用範囲の上限値または下限値に近いセル電池１１１を特定する方法の一例について説明する。
まず、比較電池特定部１４２は、正規化した電圧及び充電率からそれぞれ０．５（運用範囲の中央値）を減算し、当該値の絶対値をとる。これにより、当該絶対値が０．５に近いほど、当該セル電池１１１の電圧または充電率が運用範囲の上限値または下限値に近く、０に近いほど電圧または充電率が運用範囲の中央値に近いことが分かる。そして、比較電池特定部１４２は、電圧または充電率について得られた絶対値の相乗平均をとることで、当該値が最も高いセル電池１１１が、最も運用範囲の上限値または下限値に近いものであると特定することができる。
【００３５】
比較電池特定部１４２が、最も運用範囲の上限値または下限値に近いセル電池１１１を特定すると、指標決定部１４３は、比較電池特定部１４２が特定したセル電池１１１の温度に関連付けられた関数（図２を参照）を特定する（ステップＳ５）。次に、指標決定部１４３は、特定した関数に、比較電池特定部１４２が特定したセル電池１１１の正規化された充電率を代入することで、閾値電圧を導出する（ステップＳ６）。次に、指標決定部１４３は、比較電池特定部１４２が特定したセル電池１１１の正規化された充電率が０．５以上であるか否かを判定する。つまり、指標決定部１４３は、比較電池特定部１４２が特定したセル電池１１１の充電率が、充電率の運用範囲の中央値以上であるか否かを判定する（ステップＳ７）。
【００３６】
指標決定部１４３は、セル電池１１１の充電率が運用範囲の中央値以上であると判定した場合（ステップＳ７：ＹＥＳ）、当該セル電池１１１の電圧が閾値電圧以上であるか否かを判定する（ステップＳ８）。実際には、指標決定部１４３は、比較電池特定部１４２が特定したセル電池１１１の正規化された充電率が、正規化された閾値電圧以上であるか否かを判定する。指標決定部１４３は、セル電池１１１の電圧が閾値電圧以上であると判定した場合（ステップＳ８：ＹＥＳ）、指標を電圧に決定する（ステップＳ９）。他方、指標決定部１４３は、セル電池１１１の電圧が閾値電圧未満であると判定した場合（ステップＳ８：ＮＯ）、指標を充電率に決定する（ステップＳ１０）。
【００３７】
他方、指標決定部１４３は、セル電池１１１の充電率が運用範囲の中央値未満であると判定した場合（ステップＳ７：ＮＯ）、当該セル電池１１１の電圧が閾値電圧以上であるか否かを判定する（ステップＳ１１）。指標決定部１４３は、セル電池１１１の電圧が閾値電圧未満であると判定した場合（ステップＳ１１：ＮＯ）、指標を電圧に決定する（ステップＳ９）。他方、指標決定部１４３は、セル電池１１１の電圧が閾値電圧以上であると判定した場合（ステップＳ１１：ＹＥＳ）、指標を充電率に決定する（ステップＳ１０）。
【００３８】
指標決定部１４３が指標を決定すると、充放電電力決定部１４４は、組電池１１０ごとに、指標の値が運用範囲の上限値または下限値に最も近いセル電池１１１を特定し、当該セル電池１１１の指標の値の平均値を算出する（ステップＳ１２）。つまり、指標決定部１４３が指標を電圧に決定した場合、充放電電力決定部１４４は、各組電池１１０について、電圧が運用範囲の上限値または下限値に最も近いセル電池１１１を特定し、当該セル電池１１１の電圧の平均値を算出する。また、指標決定部１４３が指標を充電率に決定した場合、充放電電力決定部１４４は、各組電池１１０について、充電率が運用範囲の上限値または下限値に最も近いセル電池１１１を特定し、当該セル電池１１１の充電率の平均値を算出する。
【００３９】
次に、充放電電力決定部１４４は、ステップＳ１２で算出した平均値から各組電池１１０において特定したセル電池１１１の指標の値を減算して得られた値に、所定のゲインを乗じることで、組電池１１０を充放電させる電力の補正値であるバランス電力を算出する（ステップＳ１３）。つまり、ステップＳ１２で算出した平均値から各組電池１１０において特定したセル電池１１１の指標の値を減算して得られる値は、特定したセル電池１１１の指標の値が他のセル電池１１１より大きいほど小さい値、特に負数となり、特定したセル電池１１１の指標の値が他のセル電池１１１より小さいほど大きい値、特に正数となる。つまり、バランス電力は、組電池１１０のうち運用範囲の上限値または下限値に最も近いセル電池１１１の指標の値が小さいほど大きい電力となり、組電池１１０のうち運用範囲の上限値または下限値に最も近いセル電池１１１の指標の値が大きいほど小さい電力となる。また、各組電池１１０についてのバランス電力の総和はゼロとなる。なお、ゲインは、指標が充電率であるか電圧であるかによって値及び単位が異なる。
【００４０】
次に、充放電電力決定部１４４は、入力部１４１が入力を受け付けた平滑化電力を運用可能な電力変換器１２０の数で除算して得られた電力を算出する（ステップＳ１４）。なお、運用可能な電力変換器１２０とは、接続されている組電池１１０を構成する全てのセル電池１１１の電圧及び充電率が運用範囲内にあるものである。そして、充放電電力決定部１４４は、それぞれの組電池１１０について、ステップＳ１４で算出した電力からバランス電力を減算した電力を、当該組電池１１０の充放電電力に決定する（ステップＳ１４）。
【００４１】
したがって、電力変換器１２０に設定される充電電力は、組電池１１０のうち運用範囲の上限値または下限値に最も近いセル電池１１１の指標の値が小さいほど大きい電力となり、組電池１１０のうち運用範囲の上限値または下限値に最も近いセル電池１１１の指標の値が大きいほど小さい電力となる。また、電力変換器１２０に設定される放電電力は、組電池１１０のうち運用範囲の上限値または下限値に最も近いセル電池１１１の指標の値が小さいほど小さい電力となり、組電池１１０のうち運用範囲の上限値または下限値に最も近いセル電池１１１の指標の値が大きいほど大きい電力となる。
【００４２】
図４は、充放電電力決定部１４４による充放電電力の決定方法を示すブロック線図である。
上述したステップＳ１２〜ステップＳ１４の処理は、図４に示すとおりである。
つまり、充放電電力決定部１４４は、平滑化電力を電力変換器１２０の台数で除算した電力から、各組電池１１０における指標値から当該指標の平均値を減算した値に所定のゲインＰを乗じた値を減算して得られる電力を、充放電電力に決定する。これにより、各電力変換器１２０が制御する電力の総和、すなわち全ての組電池１１０の充放電電力の合計は、平滑化電力と等しくなる。なお、ゲインＰは、指標が充電率であるか電圧であるかによって値及び単位が異なる。
【００４３】
このように、本実施形態によれば、指標決定部１４３が、セル電池１１１の充電率及び電圧に基づいて、指標として充電率を用いるか電圧を用いるかを決定し、充放電電力決定部１４４が、当該指標に基づいて、組電池１１０それぞれの充放電電力を決定する。これにより、充放電制御装置１４０は、充電率または電圧のうち組電池１１０の動作が停止する確率の高いほうを指標として充放電電力を決定することができる。具体的には、充放電制御装置１４０は、動作が停止する確率の高い組電池１１０の充電率または電圧を、運用範囲の中央値に近づけるように充放電を制御することができる。
【００４４】
また、本実施形態によれば、運用範囲の上限値または下限値に近いセル電池１１１の充電率に推定誤差が含まれている場合にも、適切に充放電の制御をすることができる。これは、運用範囲の上限値または下限値に近いセル電池１１１は、充電率のみならず、電圧も運用範囲の上限値または下限値に近い値となる。ここで充電率の推定誤差により当該セル電池１１１の充電率が運用範囲の中央値に近い値に推定されたとしても、当該セル電池１１１の電圧は運用範囲の上限値または下限値に近い値となる。したがって、指標決定部１４３は指標を電圧に決定し、充放電電力決定部１４４はセル電池１１１の電圧に基づいて組電池１１０それぞれの充放電電力を決定する。これにより、充放電制御装置１４０は、運用範囲の上限値または下限値に近いセル電池１１１の充電率に推定誤差が含まれている場合にも、適切に充放電の制御をすることができる。
【００４５】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、充放電制御装置１４０は、複数のセル電池１１１を直列に接続した組電池１１０の充放電を制御する場合について説明したが、これに限られず、制御対象の二次電池は並列に接続された単電池であっても良い。
【００４６】
また、本実施形態では、充放電制御装置１４０が出力平滑化装置１００に設けられる場合について説明したが、これに限られず、充放電制御装置１４０は、負荷または電源に接続された複数の二次電池を備えるその他の装置に設けられても良い。
【００４７】
また、本実施形態では、指標決定部１４３が、セル電池１１１の電圧、充電率及び温度に基づいて指標を決定する場合について説明したが、これに限られず、セル電池１１１の温度を用いずに指標を決定しても良い。
【００４８】
なお、上述の出力平滑化装置１００及び充放電制御装置１４０は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４９】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５０】
１００…出力平滑化装置  １１０…組電池  １１１…セル電池  １１２…ＢＭＳ  １２０…電力変換器  １３０…平滑化電力算出部  １４０…充放電制御装置  １４１…入力部  １４２…比較電池特定部  １４３…指標決定部  １４４…充放電電力決定部  ２００…発電装置
【図１】
2014121143.tif 000003
【図２】
2014121143.tif 000004
【図３】
2014121143.tif 000005
【図４】
2014121143.tif 000006